(57)【要約】  車両に搭載され、可搬型の情報端末と連携して情報を出力するＤＡ装置は、固定部材に固定された本体部と、前記本体部に対して開閉自在の表示部と、前記情報端末を保持するホルダ部であって、前記表示部の背面に連結されて、前記表示部とともに開閉するホルダ部と、前記本体部に設けられ、前記ホルダ部に保持された情報端末から出力される情報を前記表示部に表示するとともに、ユーザからの操作指示を前記情報端末に送信する電気回路と、前記表示部を、前記ホルダ部がケースの外部に露出した開状態と、前記ホルダ部が前記ケース内部に位置する閉状態と、に切り替える開閉機構と、を備えることを特徴とする。。
2016038723.tif 000002
【特許請求の範囲】
【請求項１】
車両に搭載され、可搬型の情報端末と連携して情報を出力するディスプレイオーディオ装置であって、  固定部材に固定された本体部と、  前記本体部に対して開閉自在の表示部と、  前記情報端末を保持するホルダ部であって、前記表示部の背面に連結されて、前記本体部とともに開閉するホルダ部と、  前記本体部に設けられ、前記ホルダ部に保持された情報端末から出力される情報を前記表示部に表示するとともに、ユーザからの操作指示を前記情報端末に送信する電気回路と、  前記表示部を、前記ホルダ部が前記ケースの外部に露出した開状態と、前記ホルダ部が前記ケース内部に位置する閉状態と、に切り替える開閉機構と、  を備えることを特徴とするディスプレイオーディオ装置。
【請求項２】
請求項１に記載のディスプレイオーディオ装置であって、  前記開閉機構は、前記表示部を前方に付勢する付勢部材であって、前記閉状態が解除された際には前記表示部を開方向に移動させ、前記閉状態では前記ホルダ部に保持された前記情報端末を前記ホルダ部の壁面に密着させる付勢部材を備える、ことを特徴とするディスプレイオーディオ装置。
【請求項３】
請求項１または２に記載のディスプレイオーディオ装置であって、さらに、  前記ホルダ部に保持された情報端末と前記電気回路とを電気的に接続するハーネスを備え、  前記閉状態において、前記ハーネスは、前記情報端末に接続された状態で前記ケース内に収容されている、  ことを特徴とするディスプレイオーディオ装置。
【発明の詳細な説明】
【技術分野】
【０００１】  本発明は、車両に搭載され、多機能型携帯電話と連携して情報を表示するディスプレイオーディオ装置に関する。
【背景技術】
【０００２】  従来から、車両に、映像や音声を出力するオーディオビジュアル装置（以下「ＡＶ装置」という）や、経路情報を提供するナビゲーション装置等を搭載することが提案されている。しかし、車載専用のＡＶ装置やナビゲーション装置は、高価という問題があった。【０００３】  そこで、車載専用のＡＶ装置やナビゲーション装置に替えて、多機能携帯端末、例えば、スマートフォン等を利用することが提案されている。すなわち、スマートフォン等にナビゲーションソフトや、音楽や映像のプレーヤーソフトをインストールし、このスマートフォンを車両に持ち込むことが提案されている。【０００４】  さらに、近年では、このスマートフォンと連携するディスプレイオーディオ装置（以下「ＤＡ装置」という）も提案されている。ＤＡ装置は、スマートフォンに電気的に接続され、スマートフォンからの出力を表示部に表示するとともに、ユーザから受け付けた操作をスマートフォンに入力する。かかるＤＡ装置は、ダッシュボード等、運転手から見やすい位置に表示部を有しており、このＤＡ装置にスマートフォンからの情報を表示することで、ユーザは、より快適に各種情報を取り扱うことができる。また、こうしたＤＡ装置は、車載専用のＡＶ装置やナビゲーション装置に比して安価に構成できる。
【発明の概要】
【発明が解決しようとする課題】
【０００５】  しかし、従来のＤＡ装置では、スマートフォンは、ＤＡ装置の外部、例えば、ダッシュボードの上等に設置されたクレイドル（ドッキングステーション）にセットされており、外部に露出していた。この場合、スマートフォンやクレイドルが車内インテリアの統一感を乱し、見栄えが悪かった。また、クレイドルの設置箇所によっては、スマートフォンやクレイドルに、人の手指がぶつかって破損を招いたり、当該スマートフォン等が視界を妨げたりする恐れもあった。また、この場合、スマートフォンとＤＡ装置とを電気的に接続するハーネスの一部も外部に露出することになり、やはり、見栄えの悪化や、手指への引っ掛かりといった問題を招いていた。【０００６】  そこで、本発明では、見栄えの悪化や手指の引っ掛かりをより確実に防止でき得るＤＡ装置を提供することを目的とする。
【課題を解決するための手段】
【０００７】  本発明のディスプレイオーディオ装置は、車両に搭載され、可搬型の情報端末と連携して情報を出力するディスプレイオーディオ装置であって、固定部材に固定された本体部と、前記本体部に対して開閉自在の表示部と、前記情報端末を保持するホルダ部であって、前記表示部の背面に連結されて、前記本体部とともに開閉するホルダ部と、前記本体部に設けられ、前記ホルダ部に保持された情報端末から出力される情報を前記表示部に表示するとともに、ユーザからの操作指示を前記情報端末に送信する電気回路と、前記表示部を、前記ホルダ部が前記ケースの外部に露出した開状態と、前記ホルダ部が前記ケース内部に位置する閉状態と、に切り替える開閉機構と、を備えることを特徴とする。【０００８】  好適な態様では、前記開閉機構は、前記表示部を前方に付勢する付勢部材であって、前記閉状態が解除された際には前記表示部を開方向に移動させ、前記閉状態では前記ホルダ部に保持された前記情報端末を前記ホルダ部の壁面に密着させる付勢部材を備える。【０００９】  他の好適な態様では、さらに、前記ホルダ部に保持された情報端末と前記電気回路とを電気的に接続するハーネスを備え、前記閉状態において、前記ハーネスは、前記情報端末に接続された状態で前記ケース内に収容されている。
【発明の効果】
【００１０】  本発明によれば、表示部を開閉可能にするとともに、表示部の背面に、情報端末を保持するホルダ部を設けているため、情報端末をＤＡ装置内に収容することができる。その結果、見栄えの悪化や手指の引っ掛かりをより確実に防止できる。
【図面の簡単な説明】
【００１１】
【図１】本発明の実施形態であるＤＡ装置の電気的な構成を示すブロック図である。
【図２】ＤＡ装置を車両に組み付けた様子を示す図である。
【図３】ＤＡ装置の分解斜視図である。
【図４】開状態のＤＡ装置の斜視図である。
【図５】開状態のＤＡ装置の斜視図である。
【図６】閉状態のＤＡ装置の側面図である。
【図７】開動作途中のＤＡ装置の側面図である。
【図８】開動作完了時のＤＡ装置の側面図である。
【図９】表示部の開閉動作を説明する図である。
【図１０】表示部の開閉動作を説明する図である。
【図１１Ａ】係合状態におけるロックスイッチの断面図である。
【図１１Ｂ】係合解除状態におけるロックスイッチの断面図である。
【図１２】ロックスイッチの分解斜視図である。
【発明を実施するための形態】
【００１２】  以下、本発明の実施形態について図面を参照して説明する。図１は、本発明の実施形態であるディスプレイオーディオ装置（以下「ＤＡ装置」という）１０の電気的な構成を示すブロック図である。
【００１３】  このＤＡ装置１０は、可搬型の情報端末であるスマートフォン１００と連携して、当該スマートフォン１００から出力された情報を出力するとともに、ユーザから受け付けた操作をスマートフォン１００に入力する機器である。スマートフォン１００には、例えば、経路を案内するナビゲーションソフトや、映像や音楽を出力するプレーヤーソフト等がインストールされている。ＤＡ装置１０は、スマートフォン１００にインストールされているソフトウェアのうち、ユーザから指定されたソフトウェアを起動させ、スマートフォン１００から出力された情報（例えば、経路案内画面や、経路案内音声、楽曲音声、映像）をＤＡ装置１０の表示部２６に表示する。
【００１４】  図１に示す通り、ＤＡ装置１０の制御部２０は、ハーネス２４を介して、スマートフォン１００と電気的に接続されている。ハーネス２４は、ＨＤＭＩ（登録商標）規格に従ったケーブルである。このハーネス２４は、信号送受のために制御部２０に電気的に繋がっている。また、このハーネス２４は、スマートフォン１００への電力供給用ハーネスとしても機能し、充電器２３にも電気的に繋がっている。
【００１５】  制御部２０は、スマートフォン１００から供給された映像信号や音声信号に基づいて、液晶ディスプレイ１２やスピーカー１４を駆動し、映像および音声を出力させる。また、制御部２０は、タッチパネル１６で感知されたタッチ操作に基づいて操作信号を生成し、スマートフォン１００に出力する。なお、スマートフォン１００が音声操作機能を有している場合には、ＤＡ装置１０にマイク１８を設け、当該マイク１８で収集した音声信号を、操作信号としてスマートフォン１００に送るようにしてもよい。また、図１には図示しないが、ＤＡ装置１０は、簡単な操作デバイス、例えば、スイッチやボタン、ボリュームスイッチ、キーボード等を備えてもよい。メモリ２２には、ＤＡ装置１０を駆動するためのプログラムや、制御パラメータ等が記憶されている。
【００１６】  こうしたＤＡ装置１０は、図２に示すように、車両の車室内のうち乗員が見やすい位置、例えば、ダッシュボード１０２のうち計器類に隣接する位置等に組み付けられる。ＤＡ装置１０の本体部（図２では見えず）は、ダッシュボード１０２の内部に埋め込まれており、通常、ＤＡ装置１０のうち表示部２６（すなわちタッチパネル１６が組み付けられた液晶ディスプレイ１２）を構成するパネル４０（図３参照）のみが外部に露出している。このように、表示部２６のみが露出した状態でＤＡ装置１０を組み付けることで、ユーザの手指がＤＡ装置１０に意図せずにぶつかったり、ＤＡ装置１０がユーザの視界の妨げになったりすることが防止できる。その一方で、スマートフォン１００より大きい画面やより高性能なスピーカーで、各種情報を提供できるため、ユーザは、スマートフォン１００にインストールされた各種ソフトウェア（ナビゲーションソフトやプレーヤーソフト）をより快適に利用できる。
【００１７】  ところで、このＤＡ装置１０に接続されるスマートフォン１００は、従来、ＤＡ装置１０の外部に設置されていた。すなわち、従来は、ダッシュボード１０２の外表面に、スマートフォン１００のドッキングステーション、いわゆるクレイドルを設置し、このクレイドルにスマートフォン１００を取り付けていた。この場合、スマートフォン１００は、ダッシュボード１０２から突出して位置することになる。その結果、車室内のインテリアの統一感が乱れて、見栄えが悪くなるだけでなく、ユーザの手指が、スマートフォン１００やクレイドルに意図に反してぶつかり、スマートフォン１００等が破損や誤動作するおそれがあった。また、外部に突出するスマートフォン１００がユーザの視界を妨げる恐れがあった。また、この場合、スマートフォン１００とＤＡ装置１０とを電気的に接続するハーネス２４も外部に露出することになるが、こうした外部に露出したハーネス２４は、見栄えを悪くするだけでなく、ユーザの手指が引っ掛かりやすく、スマートフォン１００やＤＡ装置１０の破損や誤動作を招きやすかった。
【００１８】  そこで、本実施形態では、表示部２６の背後に、スマートフォン１００を保持するホルダ部を設けている。これについて、図３〜図７を参照して説明する。図３は、ＤＡ装置１０の分解斜視図である。また、図４、図５は、表示部２６を開状態にしたときのＤＡ装置１０の斜視図である。さらに、図６は、閉状態の、図７は、開動作途中の、図８は、開動作完了後のＤＡ装置１０の側面図である。
【００１９】  ＤＡ装置１０は、ダッシュボード１０２内に埋め込まれ固定される本体部２８と、当該本体部２８に対して開閉可能な表示部２６と、に大別される。表示部２６は、樹脂等からなるハウジング４４に、パネル４０、タッチパネルを構成する電極４２や中継基板４８、ＴＦＴ４６を組み付け、さらに、その背後をカバー５０で覆って構成される（図３参照）。本実施形態では、この表示部２６の背後を覆うカバー５０の背面に、スマートフォン１００を保持するホルダ部７２を形成している（図４参照）。ホルダ部７２は、図４に示すように、スマートフォン１００の形状に応じて形成された枠部材５０ａで構成される。ただし、ホルダ部７２は、スマートフォン１００を保持できるのであれば、枠部材５０ａでなく、他の形式、例えば、スマートフォン１００の四隅のみを囲む部材等であってもよい。
【００２０】  また、本実施形態では、この表示部２６を、本体部２８に対して開閉可能に構成している。この表示部２６の開閉機構３０については、後に詳説するが、表示部２６は、ホルダ部７２を本体部２８内に位置させた閉状態と、ホルダ部７２を外部に露出させた開状態と、に切替可能となっている。より具体的に説明すると、図６に図示するような閉状態において、表示部２６を奥側にプッシュすると、表示部２６は、前方に直進し、ダッシュボード１０２表面から外側に突出して、図７に図示する状態になった後、前のめりに回動し、図８に示すように、ホルダ部７２が外部に露出した開状態となる。
【００２１】  閉状態にする場合は、開状態になった表示部２６を、奥側に押し付ければよい。ホルダ部７２は、スマートフォン１００全体を収容できる大きさを有しており、スマートフォン１００をホルダ部７２に収納した状態で、表示部２６を閉状態にできる。つまり、本実施形態によれば、表示部２６を閉じれば、スマートフォン１００は、ＤＡ装置１０の本体部２８の内部に完全収容される。その結果、スマートフォン１００が、ＤＡ装置の外部に露出せず、スマートフォン１００と手指との意図しない接触や、スマートフォン１００による視界の妨げ等が確実に防止される。
【００２２】  また、本実施形態では、ＤＡ装置１０とスマートフォン１００とを電気的に接続するハーネス２４（図４、図５参照）を、ＤＡ装置１０の本体部２８内に収容している。すなわち、ＤＡ装置１０の本体部２８に設置されるフレーム６７には、ハーネス２４の先端に設けられた接続端子２４ａを収容する端子収容部６７ａが形成されている（図４、図５参照）。この端子収容部６７ａには、ハーネス２４が挿通される挿通孔６７ｂが形成されており、ハーネス２４は、この挿通孔６７ｂ内を進退可能となっている。スマートフォン１００をホルダ部７２に装着した際には、図５に示すように、ハーネス２４を前方に引き出し、接続端子２４ａをスマートフォン１００に接続する。この状態で、表示部２６を閉状態にすれば、スマートフォン１００だけでなく、ハーネス２４も完全に、ＤＡ装置１０の内部に収まるため、ハーネス２４への意図しない手指の引っ掛かりが完全に防止できる。
【００２３】  次に、このＤＡ装置１０の機械的構成について説明する。ＤＡ装置１０は、既述した通り、機械的には、ダッシュボード１０２内に埋め込まれる本体部２８と、当該本体部２８に対して開閉自在の表示部２６と、に大別される。本体部２８には、ＤＡ装置１０のケースを構成する複数の鉄板７０や、制御部２０やメモリ２２を構成する複数の回路基板６８が搭載されている。
【００２４】  回路基板６８の前方には、ベース部材６２が設置されており、このベース部材６２には、仕切り板６４が固着されている。この仕切り板６４は、略垂直に立脚する部材で、その中央近傍には、後述する進退バー５４ａが挿通する挿通孔６４ｂが複数形成されている。
【００２５】  ベース部材６２は、ＤＡ装置１０のケースに固着される部材である。このベース部材６２の幅方向両端には、略垂直に立脚するサイド壁７４が設けられている。このサイド壁７４は、表示部２６の開閉状態を切り替える開閉機構３０の構成要素である。サイド壁７４には、アーム５６が挿し入れられるアーム用孔７４ａや、ガイド用突起５８ａの移動をガイドするガイド孔７４ｂ等が形成されているが、これについては、後に詳説する。
【００２６】  また、ベース部材６２には、さらに、ロックスイッチ６６を取り付けるための設置アーム６３が立脚している。ロックスイッチ６６も表示部２６の開閉状態を切り替える開閉機構３０の構成要素の一つである。このロックスイッチ６６は、表示部２６の一部と係合して閉状態を維持する係合状態と、当該係合を解除した係合解除状態とをとることができる。このロックスイッチ６６の状態は、ロックスイッチ６６の前面に突出した可動ピン８２を押圧することで切り替えることができる。
【００２７】  ベース部材６２の前面には、進退板５４が設けられている。進退板５４は、略平板状の板材で、当該進退板５４の背面には、水平方向に延びる進退バー５４ａが複数設けられている。この進退バー５４ａは、既述した通り、固定設置される仕切り板６４の挿通孔６４ｂに挿通されており、進退板５４は、仕切り板６４に対して前後方向に進退可能となっている。また、進退バー５４ａには、進退板５４を開方向に付勢するコイルスプリング６０が取り付けられている。
【００２８】  表示部２６は、既述した通り、パネル４０や、電極４２、中継基板４８、ハウジング４４、およびカバー５０で構成されるが、このうち、カバー５０の背面には、ホルダ部７２を構成する枠部材５０ａが形成されている。カバー５０背面の端部からは、ロックスイッチ６６に係合するカバー側係合部材５０ｂが突出している（図９、図１０参照）。また、このカバー側係合部材５０ｂの近傍には、ロックスイッチ６６に当接するプッシャー５２が取り付けられている。カバー５０の下端近傍には、ガイド部材５８が固着されており、カバー５０、ひいては、当該カバー５０が組み込まれた表示部２６全体は、当該ガイド部材５８とともに進退および回動するようになっている。さらに、カバー５０には、アーム５６も取り付けられている。ただし、このアーム５６は、カバー５０およびガイド部材５８とともに進退するものの、これらカバー５０等とともに回動はせず、常に、水平姿勢を保つ。
【００２９】  次に、以上のような構成のＤＡ装置１０において、表示部２６の開閉の機構について図９、図１０を参照して説明する。図９、図１０は、いずれも、ＤＡ装置１０のうち表示部２６の開閉に関与する部材を抜き出した斜視図であり、図９は、閉状態を、図１０は開状態をそれぞれ示している。
【００３０】  表示部２６を本体部２８に対して開閉する開閉機構３０は、ベース部材６２や進退板５４、アーム５６、ガイド部材５８、ロックスイッチ６６等で構成される。すなわち、閉状態において、カバー側係合部材５０ｂは、ロックスイッチ６６に設けられたスイッチ側係合部材８６と係合している。この状態で、表示部２６を押圧すると、二つの係合部材５０ｂ，８６の係合が解除される。係合が解除されると、進退板５４を前方に付勢するコイルスプリング６０の付勢力により、進退板５４および当該進退板５４の前方に位置する表示部２６が、前方に移動する。
【００３１】  このとき、ガイド部材５８に形成されたガイド用突起５８ａは、サイド壁７４に形成されたガイド孔７４ｂに挿通されているため、ガイド部材５８、ひいては、表示部２６は、このガイド孔７４ｂに沿った方向、すなわち、水平方向前方に移動する。
【００３２】  前方に移動していく過程で、ガイド用突起５８ａは、ガイド孔７４ｂから抜け出て、アーム５６に対して回動自在となる。また、サイド壁７４のアーム用孔７４ａに挿し入れられたアーム５６は、一定量、前方に移動すると、サイド壁７４に取り付けられたアーム止め５７に当接し、その前方移動が規制され、ひいては、表示部２６の更なる前進が妨げられる。この状態になれば、表示部２６は、自重により、アーム５６との接合軸を中心として、前のめりに回動する。そして、結果として、図１０に示す開状態となる。なお、より積極的に回動させるために、進退板５４とカバー５０との間に、当該カバー５０を前方方向に付勢する回動用の弾性体を設けてもよい。
【００３３】  開状態になった表示部２６を、閉状態にするには、当該表示部２６をコイルスプリング６０の付勢力に抗して、奥側に押圧すればよい。プッシャー５２がロックスイッチ６６を押圧する位置まで表示部２６を押せば、ロックスイッチ６６の一部が、カバー側係合部材５０ｂと係合し、閉状態を維持する。
【００３４】  ここで、閉状態でも、進退板５４は、コイルスプリング６０の付勢力により、常時、カバー５０を前方方向に押す。ホルダ部７２にスマートフォン１００が収容されている場合には、進退板５４は、このスマートフォン１００を、カバー５０側に押し付ける。その結果、ホルダ部７２内でのスマートフォン１００のガタ付きや振動が効果的に防止され、不快な振動音や、振動や衝撃によるスマートフォン１００の破損が効果的に防止される。また、これまでの説明で明らかな通り、本実施形態では、表示部２６の開閉用の弾性体と、スマートフォン１００のガタ付き防止用の弾性体とを共通化している。その結果、部品点数を低減でき、より安価にＤＡ装置１０を構成できる。
【００３５】  なお、ロックスイッチ６６としては、係合状態および係合解除状態を切り替え可能であれば、その構成は特に限定されず、公知の構成、例えば、日本特許公開第２００６−１３７２２４号公報に開示されている構成等を採用できる。図１１Ａ、図１１Ｂは、ロックスイッチ６６の構成の一例を示す図であり、図１１Ａは係合状態を、図１１Ｂは係合解除状態をそれぞれ示している。また、図１２は、このロックスイッチ６６の分解斜視図である。
【００３６】  このロックスイッチ６６は、固定設置される角筒状の筐体８０や、当該筐体８０内で進退する可動ピン８２および摺動体８４、筐体８０の径方向に進退するスイッチ側係合部材８６、可動ピン８２および摺動体８４を付勢する弾性体８８，９０等から構成される。
【００３７】  可動ピン８２および摺動体８４は、それぞれ、第一、第二弾性体８８，９０により、前方（図面下方）に付勢されている。可動ピン８２の先端は、筐体８０の先端面に形成された孔から外部に突出して、プッシャー５２に当接している。
【００３８】  摺動体８４は、対抗する二面が開放された箱状部８４ａと、当該箱状部８４ａに連なるカム部８４ｂと、を備えている。箱状部８４ａのうち、移動方向と直交する二面には、前方に近づくにつれ、係合解除方向（図面右方向）に進むように斜め方向に延びるカム孔８４ｃが形成されている。このカム孔８４ｃには、スイッチ側係合部材８６に取り付けられた軸９４が挿通される。
【００３９】  以上の構成のロックスイッチ６６では、係合状態では、図１１Ａに示すように、摺動体８４および可動ピン８２は、前方（図面下方）に進出しており、スイッチ側係合部材８６は、カバー側係合部材５０ｂと係合している。この状態では、カバー側係合部材５０ｂ、ひいては、表示部２６は、前方に移動することは出来ず、閉状態を維持できる。
【００４０】  この状態で、プッシャー５２で可動ピン８２を奥側に押圧すると、可動ピン８２、摺動体８４が、ともに、奥側（図面上方）に移動する。この移動に伴い、スイッチ側係合部材８６の軸が、カム孔８４ｃに沿って移動することになり、ひいては、スイッチ側係合部材８６が、係合解除の方向（図面右方向）に移動することになる。その結果、スイッチ側係合部材８６とカバー側係合部材５０ｂとの係合が解除され、図１１Ｂの状態になる。プッシャー５２による押圧を解除すると、摺動体８４および可動ピン８２は、弾性体の付勢力により再び、前方方向に移動する。
【００４１】  係合解除状態からロック状態に戻す場合には、表示部２６を奥側に押圧し、プッシャー５２で、再度、可動ピン８２を奥側に押圧すればよい。これにより、可動ピン８２および摺動体８４は、再度、奥側に移動し、スイッチ側係合部材８６は、ロック解除方向に移動し、図１１Ｂの状態になる。また、カバー側係合部材５０ｂは、プッシャー５２とともに奥側に移動するが、このとき、スイッチ側係合部材８６とは干渉しないため、完全奥側まで移動できる。スイッチ側係合部材８６が完全奥側まで移動した後に、プッシャー５２による押圧を解除すれば、可動ピン８２および摺動体８４は、弾性体の付勢力により前方に移動し、これに伴い、スイッチ側係合部材８６も、係合方向（図面左方向）に移動する。そして、最終的には、図１１Ａに示すロック状態になる。
【００４２】  ただし、ここで説明したロックスイッチ６６の構成は、一例であり、表示部２６の一部との係合状態を、適宜、切り替えられるのであれば、他の構成でもよい。例えば、本実施形態では、機械的に係合・係合解除を切り替えるロックスイッチ６６を用いたが、電気的に係合・係合解除を切り替えてもよい。例えば、表示部２６に、開閉切替用のボタン等を設け、当該ボタンの押下信号を受けて、進退する電磁プランジャー等を用いて、係合・係合解除を切り替えてもよい。
【００４３】  また、ＤＡ装置１０の表示部２６の背面に、可搬型の情報端末を保持できるのであれば、その他の構成は適宜、変更されてもよい。例えば、本実施形態では、表示部２６の開動作時、表示部２６を、前方へスライドさせ、その後、前方へ回動させている。しかし、スマートフォン１００をセットするために十分なスペースを確保できるのであれば、前方へのスライドまたは前方への回動のいずれか一方だけを行うようにしてもよい。また、スライドや前方への回動ではなく、表示部２６の左右端部に設けられた垂直軸回りに回動して開閉する構成、いわゆる、片開き扉状に開閉する構成としてもよい。
【００４４】  また、本実施形態では、ハーネス２４を介して、スマートフォン１００とＤＡ装置１０とを電気的に接続しているが、電気的接続部材がＤＡ装置１０の内部に完全収容できるのであれば、他の接続形態を採用してもよい。例えば、ホルダ部７２にスマートフォン１００をセットした際に、当該スマートフォン１００の接続端子と接触する位置に接続端子を固定設置しておき、スマートフォン１００をホルダ部７２にセットすれば、自動的に、ＤＡ装置１０の接続端子とスマートフォン１００の接続端子が接続されるようにしてもよい。また、電気的接続部材は、電気信号の送受が出来るのであれば、有線に限らず、無線であってもよい。
【００４５】  また、本実施形態では、スマートフォン１００に接続されるＤＡ装置を例に挙げたが、可搬型の情報端末であれば、スマートフォンに限らず、ＰＤＡやタブレット端末等に接続されてもよい。
【００４６】  いずれにしても、ＤＡ装置の表示部２６の背面に、可搬型の情報端末のホルダ部を設けることで、見栄えを向上するとともに、当該情報端末の破損や、当該情報端末により視界が妨げられるといった問題を効果的に防止できる。
【符号の説明】
【００４７】  １０  ＤＡ装置、１２  液晶ディスプレイ、１４  スピーカー、１６  タッチパネル、１８  マイク、２０  制御部、２２  メモリ、２３  充電器、２４  ハーネス、２６  表示部、２８  本体部、３０  開閉機構、４０  パネル、４２  電極、４４  ハウジング、４６  ＴＦＴ、４８  中継基板、５０  カバー、５２  プッシャー、５４  進退板、５６  アーム、５８  ガイド部材、６０  コイルスプリング、６２  ベース部材、６４  仕切り板、６６  ロックスイッチ、６７  フレーム、６８  回路基板、７０  鉄板、７２  ホルダ部、７４  サイド壁、８０  筐体、８２  可動ピン、８４  摺動体、８６  スイッチ側係合部材、８８，９０  弾性体、９４  軸、１００  スマートフォン、１０２  ダッシュボード。
【図１】
2016038723.tif 000003
【図２】
2016038723.tif 000004
【図３】
2016038723.tif 000005
【図４】
2016038723.tif 000006
【図５】
2016038723.tif 000007
【図６】
2016038723.tif 000008
【図７】
2016038723.tif 000009
【図８】
2016038723.tif 000010
【図９】
2016038723.tif 000011
【図１０】
2016038723.tif 000012
【図１１Ａ】
2016038723.tif 000013
【図１１Ｂ】
2016038723.tif 000014
【図１２】
2016038723.tif 000015
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
車両に搭載され、可搬型の情報端末と連携して情報を出力するディスプレイオーディオ装置であって、
固定部材に固定された本体部と、
前記本体部に対して開閉自在の表示部と、
前記情報端末を保持するホルダ部であって、前記表示部の背面に連結されて、前記表示部とともに開閉するホルダ部と、
前記本体部に設けられ、前記ホルダ部に保持された情報端末から出力される情報を前記表示部に表示するとともに、ユーザからの操作指示を前記情報端末に送信する電気回路と、
前記表示部を、前記ホルダ部がケースの外部に露出した開状態と、前記ホルダ部が前記ケース内部に位置する閉状態と、に切り替える開閉機構と、
を備えることを特徴とするディスプレイオーディオ装置。
【請求項２】
請求項１に記載のディスプレイオーディオ装置であって、
前記開閉機構は、前記表示部を前方に付勢する付勢部材であって、前記閉状態が解除された際には前記表示部を開方向に移動させ、前記閉状態では前記ホルダ部に保持された前記情報端末を前記ホルダ部の壁面に密着させる付勢部材を備える、ことを特徴とするディスプレイオーディオ装置。
【請求項３】
請求項１または２に記載のディスプレイオーディオ装置であって、さらに、
前記ホルダ部に保持された情報端末と前記電気回路とを電気的に接続するハーネスを備え、
前記閉状態において、前記ハーネスは、前記情報端末に接続された状態で前記ケース内に収容されている、
ことを特徴とするディスプレイオーディオ装置。
【国際調査報告】
2016038723.tif 000016
2016038723.tif 000017
2016038723.tif 000018
2016038723.tif 000019